(57)【要約】【課題】            水着の所定の位置に緊締力の強い素材を配置することで、背中が大きく開いているようなフィットネス用の水着においても、着用者の姿勢を美しく見せることが可能な水着を提供することを目的とする。【解決手段】        上半身部分と下半身部分とが一体化された水着において、下記（１）〜（５）の領域を宛がう部分に強緊締素材を配置したことを特徴とする水着である。  （１）後身頃における右脇部分から左腰部分に渡る領域。  （２）後身頃における左脇部分から右腰部分に渡る領域。  （３）後身頃における股部分から左腰部分に渡る領域。  （４）後身頃における股部分から右腰部分に渡る領域。  （５）前身頃の腹部の領域。【選択図】          図２
2005105477.tif 000002
【特許請求の範囲】
【請求項１】
上半身部分と下半身部分とが一体化された水着において、
下記（１）及び（２）の領域を宛がう部分に強緊締素材を配置したことを特徴とする水着。
（１）後身頃における右脇部分から左腰部分に渡る領域
（２）後身頃における左脇部分から右腰部分に渡る領域
【請求項２】
前記強緊締素材を、さらに下記（３）及び（４）の領域を宛がう部分に配置したことを特徴とする請求項１に記載の水着。
（３）後身頃における股部分から左腰部分に渡る領域
（４）後身頃における股部分から右腰部分に渡る領域
【請求項３】
前記強緊締素材を、さらに前身頃の腹部の領域を宛がう部分に配置したことを特徴とする請求項１又は２に記載の水着。
【請求項４】
前記水着は、水着本体部分と裏地部分の二層で構成され、前記強緊締素材を前記裏地部分に配置したことを特徴とする請求項１乃至３のいずれかに記載の水着。
【請求項５】
後身頃における背中中心線の距離を２ｃｍから６ｃｍパターン上で短くしたことを特徴とする請求項１乃至４のいずれかに記載の水着。
【請求項６】
後身頃における背中中心線とウエストラインとの交点から、左右の脇部分までの距離を１ｃｍから３ｃｍパターン上で短くしたことを特徴とする請求項１乃至５のいずれかに記載の水着。
【発明の詳細な説明】
【技術分野】
【０００１】
本発明は、水着の所定の位置に強緊締素材を配置することで、着用時の人体の姿勢を美しく見せる水着に関するものである。
【背景技術】
【０００２】
従来より、フィットネス水着やレオタードにおいては、体型補正の目的で、腹部や臀部に緊締力の強い素材を配置し、体のラインを美しく見せる水着は多く見られたが、着用者の姿勢を美しく見せることに着眼した水着ははかった。姿勢を矯正する専門的な矯正具としては、特許文献１のように、左右の肩掛け紐と腰部装着用のベルトを備え、着用者の背中に対応する位置に、硬質の矯正板片が収められていることを特徴とするものがある。
【特許文献１】実開平６−４８６２１号公報
【発明の開示】
【発明が解決しようとする課題】
【０００３】
しかしながら、水着、特にフィットネス用の水着のように背中が大きく開いている水着の場合は、前記特許文献１のように背中に硬質材を挿入することや、或いはベルト状のものを背中で交差させてタスキ掛けさる方法等は、見栄えの面や実用性から不適合といえる。
そこで本発明は、上記課題を解決し、水着の所定の位置に緊締力の強い素材（本発明の説明では、強緊締素材とする。）を配置することで、背中が大きく開いているような水着においても、着用者の姿勢を美しく見せることが可能な水着を提供することを目的とする。
【課題を解決するための手段】
【０００４】
前記目的を達成するために、本発明に係る水着は、上半身部分と下半身部分とが一体化された水着において、下記（１）及び（２）の領域を宛がう部分に強緊締素材を配置したことを特徴とする水着である。
（１）後身頃における右脇部分から左腰部分に渡る領域
（２）後身頃における左脇部分から右腰部分に渡る領域
また、本発明に係る水着は、さらに下記（３）及び（４）の領域を宛がう部分に強緊締素材を配置したことを特徴とする水着である。
（３）後身頃における股部分から左腰部分に渡る領域
（４）後身頃における股部分から右腰部分に渡る領域
また、本発明に係る水着は、前記強緊締素材を、さらに前身頃の腹部の領域を宛がう部分に配置したことを特徴とする水着である。
本発明に係る水着では、少なくとも前記の領域に強緊締素材が配置されていればよく、水着の構成としては、
１．水着本体部分（一層）のみで水着を構成し、前記の領域に強緊締素材を配置したもの。
２．水着本体部分と裏地部分との二層で水着を構成し、裏地部分において前記の領域に強緊締素材を配置し、強緊締素材を配置した部分以外の部分には、強緊締素材よりも緊締力の弱い水着裏地素材を配置したもの。
３．水着本体部分と裏地部分との二層で水着を構成し、裏地部分は前記の領域に強緊締素材を配置したもの（強緊締素材以外の部分に水着裏地素材を配置していないタイプ。）。が挙げられる。
【発明の効果】
【０００５】
本発明に係る水着は、水着の後身頃における右脇部分から左腰部分に渡る領域を宛がう部分と、左脇部分から右腰部分に渡る領域を宛がう部分とに強緊締素材を配置しているので、着用者の背中に張力が加わり、通常の水着の着用時に比べて、着用者の頭の位置が後ろに下がり、肩の位置が後ろに下がり、バストトップの位置をあげるので、着用者は自然と美しい姿勢をとることができる。
また、後身頃の股部分から左右の腰部分に渡る領域を宛がう部分にも強緊締素材を配置すれば、臀部を持ち上げる方向に張力が加わるので、着用者はより美しい姿勢をとることがきる。
さらに、強緊締素材を前身頃の腹部の領域を宛がう部分に配置すれば、腹部を押さえる方向に張力が加わるので、着用者はより美しい姿勢をとることがきる。
パターン上で、背中中心線の距離を短くしたり、背中中心線とウエストラインの交点から左右の脇下までの距離を短くすれば、さらに強緊締素材部分の緊締力を高めることができる。
【発明を実施するための最良の形態】
【０００６】
以下、本発明の実施の形態について説明する。
図１及び図２は本発明に係る水着の実施の形態の一例を示しており、図１は水着表面（水着本体部分）の正面図（前身頃）と背面図（後身頃）、図２は水着裏面（裏地部分）の正面図（前身頃）と背面図（後身頃）を示している。
【０００７】
本発明に係る水着１では、図１に示すように水着表面は水着本体素材２で構成する。また、図２に示した水着の裏地部分の構成については、以下に説明する部分に強緊締素材３（図面中の斜線部分）を配置し、強緊締素材を配置した部分以外の部分には強緊締素材よりも緊締力の弱い水着裏地素材４を配置している。
【０００８】
強緊締素材を配置する部分について説明する。まず、背中部分に設ける強緊締素材について説明すると、図２（ｂ）に示すように、後身頃２０における右脇部分２１から左腰部分２４に渡る領域を宛がう部分と、左脇部分２２から右腰部分２３に渡る領域を宛がう部分とに強緊締素材３を配置している。このように強緊締素材を配置すると、着用者の背中に（背筋を伸ばす方向に）張力が加わるので、通常の水着の着用時に比べて、着用者の頭の位置が後ろに下がり、両肩の位置が後ろに下がり、バストトップの位置をあげるので、着用者は自然と美しい姿勢をとることができる。
【０００９】
本発明の説明に用いる右脇部分２１から左腰部分２４に渡る領域とは、右脇下の大円筋から広背筋上部、脊柱起立筋を通り、左腰部分２４にある広背筋の下部に渡る領域のことである。また、左脇部分から右腰部分に渡る領域とは、前記の領域と左右対称の領域のことである。
【００１０】
次に、臀部に設ける強緊締素材について説明する。後身頃２０の後ろ足ぐりライン２５に沿って股部分２６から右腰部分２３に渡る領域及び股部分２６から左腰部分２４に渡る領域を宛がう部分に強緊締素材３を配置すれば、臀部を持ち上げる方向に張力が加わるので、着用者はより美しい姿勢をとることがきる。
本発明の説明に用いる、股部分から左右の腰部分に渡る領域とは、着用者の股部分から大臀筋の一部と中臀筋の一部を含み左右の腰部分に渡る領域のことである。前記領域は、図２（ｂ）に示すように、通常のワンピース型水着の後ろ足ぐりライン２５に沿った円弧状の領域であることが好ましい。
前記の臀部に設ける強緊締素材３は、左右それぞれの腰部分２３、２４で背中部分の強緊締素材と繋がるように設けることが好ましい。背中部分の強緊締素材と臀部の強緊締素材とを繋げることで、脇部から臀部に至る背中全体により効果的に張力を与えることができる。
【００１１】
腹部に設ける強緊締素材について説明する。図２（ａ）に示すように、強緊締素材３を前身頃１０の腹部１１の領域を宛がう部分に配置すれば、腹部を押さえる方向に張力が加わるので、着用者のお腹が押さえられ、より美しい姿勢をとることがきる。
腹部１１の領域に宛がう強緊締素材３は、後身頃に配置される背中部分の強緊締素材及び臀部の強緊締素材と脇線部分にて繋げることが好ましい。それにより脇部から臀部に至る強緊締素材と、腹部を押さえる強緊締素材とが一体化され、より効果的に身体全体に張力を与えることができる。
【００１２】
図２に示した水着では、腹部領域の強緊締素材は、腹部の中心部が山状になっているが、これは、着用者の呼吸活動を阻害することのないうように、左右の肋骨部分を避けるかたちで、強緊締素材を配置しているためである。
【００１３】
本発明の説明に用いる腹部の領域とは、下腹部の少なくとも一部、或いは全部を含む領域のことである。
【００１４】
前記のそれぞれの領域に宛がう強緊締素材の幅や大きさは、図２に示したものに限らず、本発明の目的が達成される範囲内であれば、必要に応じて任意に変形可能である。
【００１５】
本発明に用いられる水着本体素材、水着裏地素材及び強緊締素材の各素材について説明すると、前記の各素材は縦横方向に伸縮性のある布地であれば良く、特に組成や組織を限定するものではないが、丸編機で編成した天竺等の丸編ニット生地、トリコット、ラッセル編機で編成したハーフトリコット、パワーネット等の経編ニット生地等のニット生地で、ポリウレタン糸等の伸縮性を有する糸を少なくとも一部に使用しているものが好ましい。
【００１６】
高捲縮仮撚加工を施して伸縮性を持たせたポリエステル、ナイロン等の高捲縮仮撚加工糸を生地の少なくとも一部あるいは全部に使用した生地も可能である。また、単純に前記伸縮性のあるニットを複数枚数重ねて使用することも可能である。更に、前記伸縮性のあるニット生地どうしをラミネート加工して二層にした二層ラミネート生地、伸縮性のあるポリウレタンシートを前記伸縮性のあるニット生地ではさみ込みラミネート加工して三層にした三層ラミネート生地も使用可能である。
【００１７】
次に、生地素材に強い緊締力を持たせ、強緊締素材とする方法としては、ポリウレタン糸、高捲縮仮撚加工糸（以下、伸縮糸とする。）の混率を大きくすることで、生地素材に強い緊締力を持たせることができる。混率を大きくする方法としては、伸縮糸の太さを太くすることで混率を大きくする方法、伸縮糸の太さは同じで生地中に配する割合を多くすることで混率を大きくする方法がある。伸縮糸の混率が一定の場合に編密度を密にすることでも可能である。さらに、伸縮糸の種類を変えた生地を使用する、ラミネート加工した生地としていない生地を用いる、同一の生地の重ねる枚数を多くすることでも生地に強いの緊締力を持たせることが可能である。
【００１８】
さらに、強緊締素材で張力を与える方法に加えて、以下に説明するように、背中中心線の距離、及び背中中心線とウエストラインとの交点から左右の脇部分までの距離をパターン上で短くし、張力を付加することも可能である。
図３は、図２（ｂ）で説明したところの後身頃の左半身（説明の簡略化のために左半身のみを示す。）を示している。
以下、説明のために、後身頃２０における強緊締素材３の背中中心線２７上の上部端点をＡ１、下部端点をＡ２とする。
同じく、背中中心線２７とウエストライン２８の交点をＢ２とし、Ｂ２から左脇部分２２方向の強緊締素材３の略中央の直線を２９とする。また、直線２９の左脇部分２２の端点をＢ１とする。
【００１９】
背中中心線２７の距離をパターン上で短くし、張力を付加する方法について説明する。
図４に示すように、後身頃２０のウエストライン２８上で、強緊締素材３の脇側３０はそのままで、背中中心線２７部分を重ねることで、背中中心線の距離を上下方向に短くすることができる。（強緊締素材を重ねた後のＡ１’−Ａ２’間の距離は、重ねる前のＡ１−Ａ２間の距離に比べて短くなる。）
【００２０】
このように構成することで、水着の脇線３１部分の長さは変えることなく、背中中心線２７の距離のみを短くすることができ、着用者の背中部分にさらなる張力を与えることができる。背中中心線２７を短くする割合については、着用者の伸長や体型に応じて任意であってよいが、着用試験の結果から２ｃｍから６ｃｍの範囲で短くすることが好ましい。
【００２１】
図４ではウエストライン２８上で背中中心線の距離を短くしたが、ウエストライン以外の部分で同様の方法を用いて、背中中心線の距離を短くすることも可能である。
また、一箇所だけではなく複数の箇所に分けて、同様の方法を用いて、背中中心線の距離を短くすることも可能である。
【００２２】
次に背中中心線２７とウエストライン２８との交点Ｂ２から左右の脇部分までの距離をパターン上で短くし、張力を付加する方法について説明する。
図５は、後身頃２０の左半身における上半身部分の拡大図である。
図５（ａ）に示すように、前記の直線２９上において一定の距離Ｂ３−Ｂ４をとり、また強緊締素材の上下それぞれの縁部３２上に点Ｂ５、Ｂ６を設ける。点Ｂ３、Ｂ５、Ｂ４及びＢ６で囲まれた部分には強緊締素材を配置せずに空白部分３３とする。
次に直線Ｂ３−Ｂ６と直線Ｂ４−Ｂ６を縫着または接着（縫着方法及び接着方法については、後述する方法を用いる。）で一体化し、同じく直線Ｂ３−Ｂ５と直線Ｂ４−Ｂ５を縫着または接着で一体化して、図５（ｂ）に示すように、空白部分を閉じる。こうすれば、直線２９の距離をＢ３−Ｂ４間の距離分だけ、短くすることができる。（空白部分を閉じた後のＢ１’−Ｂ２’の距離は、重ねる前のＢ１−Ｂ２の距離に比べて短くなる。）
【００２３】
このように構成することで、強緊締素材の縁部３２の長さは変えることなく、強緊締素材の中心部（直線２９）の距離のみをを短くすることができ、着用者の背中部分にさらなる張力を与えることができる。直線２９を短くする割合については、着用者の伸長や体型に応じて任意であってよいが、着用試験の結果から１ｃｍから３ｃｍの範囲で短くすることが好ましい。
【００２４】
また、一箇所だけではなく複数の箇所に分けて、同様の方法を用いて直線２９の距離を短くすることも可能である。
【００２５】
このようなパターン上で張力を付加する方法は、前記の２種類の方法を同時に用いてもよいし、どちらか一方のみを用いてもよい。また、背中部分の強緊締素材に限らず、臀部及び腹部の強緊締素材にも同様の方法を用いて、張力を付加することも可能である。
【００２６】
なお緊締力は、一定荷重時の生地の伸長率の大小で確認することができる。すなわち、緊締力の強い生地は伸長率が小さく、弱い生地は伸長率が大きい。
本発明の各生地素材の伸長率は、ほぼその長さ方向での５００ｇｆ荷重時で、水着本体素材では３０〜７０％、水着裏地素材では４０〜１００％、強緊締素材では２０〜４０％であることが望ましいが、特にこれらに限定されるものではない。
緊締力を表す伸長率の測定方法は、ＴＥＮＳＩＬＯＮ万能型引張試験機（ＵＴＭ−III−２００、（株）東洋ボールドウイン社製）を用い、引張強度を２０ｃｍ／分とし、試料生地の大きさは、巾が５ｃｍ、長さが３０ｃｍ、つかみ間隔が２０ｃｍとした。以下、実施例の説明の際に用いる伸張率は、この測定方法による測定結果である。
【００２７】
本発明に係る水着では、前記水着本体素材、水着裏地素材及び強緊締素材を縫着又は接着によって一体化し、水着を形成している。
縫着方法としては、縫目もストレッチ性を有する、１本針オーバーロック、２本縫いオーバーロック、インターロック、フラットシーマ、フラットロック等の縫目を形成するミシンを採用するのが望ましい。
【００２８】
接着方法としては、一体化したい二種類の生地（部材）にのりしろを設け、熱によって融解し、冷却後生地に浸透して凝固するポリウレタン製の熱融解性のシームテープをのりしろの生地の間にはさみ、熱プレスすることで生地を接着できる熱圧着法があげられるが、縫着同様のりしろにストレッチ性をもたせ、着用時の違和感をなくすことが望ましい。
【００２９】
本発明に係る水着は、上半身部分と下半身部分と有し、両者が一体化された水着であれば良く、本発明の目的が達成される範囲内であれば、図１及び図２に示したような形状に限らず、上半身部分が袖部を有していてもよいし、下半身部分が膝上、膝下、または足首まで覆うように形成されていてもよい。
また、本発明は水着に限らず、レオタードやその他のタイツ類にも用いることができる。
【実施例】
【００３０】
以下、本発明に係る上衣の実施例を説明する。
本実施例の水着において、水着本体素材、水着裏地素材及び強緊締素材の各素材の配置については、図１及び図２で説明したところと同様である。
【００３１】
本実施例の水着では、各部材は相互に縫着により一体化され水着が形成される。縫着方法は、フラットシーマミシンを用い、針糸にポリエステルスパンライクフィラメント糸、上かがり糸と下かがり糸にウーリーナイロン糸を用いてフラットシーマの縫目で縫着した。
【００３２】
本実施例の水着では、水着本体素材、水着裏地素材はトリコット組織素材、強緊締素材はメッシュ編み組織素材によって、水着を形成している。
水着本体素材としては、ポリエステル５５デシテックス、ポリウレタン４４デシテックス使いのハーフトリコット組織で混率ポリエステル８５％、ポリウレタン１５％でゲージ数２８Ｇのものを用いた。伸長率は５００ｇｆ時においてウエール方向で６０％である。
水着裏地素材としては、ポリエステル８３デシテックス使いのトリコット組織で混率ポリエステル１００％、ゲージ数２８Ｇのものを用いた。伸長率は５００ｇｆ時においてウエール方向で８０％である。
強緊締素材としては、ポリエステル５５デシテックス、ポリウレタン８８デシテックス使いのトリコット組織で混率ポリエステル８０％、ポリウレタン２０％でゲージ数２４Ｇのものを用いた。伸長率は５００ｇｆ時においてウエール方向で４０％である。
本実施例の水着では、水着本体素材、水着裏地素材はトリコット組織素材、強緊締素材はメッシュ編み組織素材によって、水着を形成している。
【００３３】
また、図４で説明したところの方法で、パターン上で背中中線の距離を４ｃｍ短くし、また、図５で説明したところの方法で、背中中心線とウエストラインの交点から後ろ脇下までの距離を２ｃｍ短くした。
【００３４】
次に、本発明の効果を検証するために、本実施例の水着と通常のフィットネス水着を着用し、側面から着用者の身体の傾斜角度を測定し、両者の比較を行った。
図６に示すように、第七頸椎と第七胸椎棘突起につけたマーカーを結ぶ線直線Ｌ１と地面に垂直な直線Ｌ２との角度を身体の傾斜角度αとし、αの値を求めた。
被験者は４人の女性（Ａ〜Ｄ）で、平均年齢：２９．５歳、平均身長：１５８．３ｃｍ、平均体重：４９．８ｋｇであった。傾斜角度αの測定結果を表１に示す。
【００３５】
【表１】
2005105477.tif 000003
【００３６】
表１の測定結果より、本実施例の水着の着用時は、通常のフィットネス水着の着用時に比べて、身体の傾斜角が２．５度小さくなっている。
【００３７】
本発明の水着では、着用者の背中、臀部及び腹部に張力が加わるので、従来のフィットネス水着に比べて、身体の傾斜角度を小さくすることができ、着用者は自然と胸を張った美しい姿勢をとることができる。
【図面の簡単な説明】
【００３８】
【図１】図１（ａ）は、本発明に係る水着の表面の正面図、図１（ｂ）は同じく背面図である。
【図２】図２（ａ）は、本発明に係る水着の裏面の正面図、図２（ｂ）は同じく背面図である。
【図３】図３は、本発明に係る水着の後身頃の左半身を示している。
【図４】図４は、本発明に係る水着を示しており、背中中心線の距離をパターン上で短くした実施の形態を示している。
【図５】図５は、本発明に係る水着を示しており、背中中心線とウエストラインとの交点から、左右の脇部分までの距離をパターン上で短くした実施の形態を示している。
【図６】図６は、水着着用時の身体の傾斜角度の測定方法の説明図である。
【符号の説明】
【００３９】
１    水着
２    水着本体素材
３    強緊締素材
４    水着裏地素材
１０  前身頃
１１  腹部
２０  後身頃
２１  右脇部分
２２  左脇部分
２３  右腰部分
２４  左腰部分
２５  後ろ足ぐりライン
２６  股部分
２７  背中中心線
２８  ウエストライン
２９  直線
３０  脇側
３１  脇線
３２  縁部
３３  空白部分
Ｌ１、Ｌ２  直線
α  傾斜角度
【図１】
2005105477.tif 000004
【図２】
2005105477.tif 000005
【図３】
2005105477.tif 000006
【図４】
2005105477.tif 000007
【図５】
2005105477.tif 000008
【図６】
2005105477.tif 000009